(57)【要約】【課題】スライド扉をスライド可能に支持する上レール部材の内部に結露が生ずるのを防止し得る貯蔵庫の結露防止構造を提供する。【解決手段】収納室１８が内部画成されると共に前方に開放する開口部１４ａを有する断熱箱体１４の内部に、収納室１８内の空気を吸込む吸込み口３０が形成されると共に断熱箱体１４の後方側に収納室１８内に冷気を吹出す冷気吹出し口が形成された冷却室２２を画成する。また、断熱箱体１４の開口前端部に設けられた上下のレール部材４４,４６に沿って摺動可能に配設したスライド扉３８により、断熱箱体１４の開口部１４ａを開閉自在に閉成するよう構成する。そして、上レール部材４４と吸込み口３０との間に、上レール部材４４側から収納室１８の奥側に向けて下方傾斜する風向規制板６８を設ける。【選択図】図１
2010196925.tif 000002
【特許請求の範囲】
【請求項１】
収納室(18)が内部画成されると共に前方に開放する開口部(14a)を有する断熱箱体(14)と、前記断熱箱体(14)の内部に画成され、断熱箱体(14)の開口部(14a)側に前記収納室(18)内の空気を吸込む吸込み口(30)が形成されると共に断熱箱体(14)の後方側に収納室(18)内に冷気を吹出す冷気吹出し口が形成された冷却室(22)と、前記断熱箱体(14)の開口前端部に設けられた上下のレール部材(44,46)と、前記上下のレール部材(44,46)に沿って摺動可能に配設され、断熱箱体(14)の開口部(14a)を開閉自在に閉成するスライド扉(36,38)とを備えた貯蔵庫において、
前記上レール部材(44)と吸込み口(30)との間に、上レール部材(44)側から収納室(18)の奥側に向けて下方傾斜する風向規制板(68)を設けた
ことを特徴とする貯蔵庫の結露防止構造。
【請求項２】
前記上レール部材(44)における前記スライド扉(36,38)が臨むレール上面部(60)を、前記収納室(18)側に向けて下方傾斜するよう形成した請求項１記載の貯蔵庫の結露防止構造。
【請求項３】
前記上レール部材(44)は、前記スライド扉(36,38)の収納室(18)側の面に対向するレール後面部(64,66)に、該スライド扉(36,38)側に向けて膨出する膨出面(70)が形成されて、膨出面(70)にスライド扉(36,38)が摺接するよう構成された請求項１または２記載の貯蔵庫の結露防止構造。
【発明の詳細な説明】
【技術分野】
【０００１】
この発明は、スライド扉をスライド移動させることで収納室を開閉する貯蔵庫の結露防止構造に関するものである。
【背景技術】
【０００２】
食料品店やコンビニエンスストア等の店舗では、食品や飲料品等の物品を冷蔵または冷凍保存する貯蔵庫としてショーケースが使用されている(特許文献１参照)。このショーケースは、例えば図３に示す如く、内装板と外装板との間にウレタン等の発泡断熱材１２を充填してなる断熱箱体１４の内部に、食品や飲料品等の陳列品の収納室１８が画成され、該断熱箱体１４の下部に圧縮器や凝縮器等を備えた冷却装置(図示せず)が設置される機械室２０が設けられている。前記断熱箱体１４の前部には、前方に開放する矩形状の開口部１４ａが開設され、この前方開口部１４ａの内周下部および内周上部には、該開口部１４ａを開閉するスライド扉３６,３８を左右方向にスライド自在に支持する上下のレール部材が設けられている。
【０００３】
また、前記断熱箱体１４の内部上方(収納室１８の上方)には、機械室２０に設置された冷却装置に接続する冷媒管を介して循環供給される冷媒により冷却される冷却器２６が収容設置される冷却室２２が画成されており、この冷却室２２の前側に形成された吸込み口３０および冷却室２２の後側に形成された冷気吹出し口(図示せず)を介して収納室１８と冷却室２２とが連通するよう構成される。そして、前記吸込み口３０に対応して設けられた送風ファン２８の駆動により、吸込み口３０を介して収納室１８内の空気が冷却室に吸引されて冷却器２６に吹付けられ、該冷却器２６との間で熱交換された冷気が前記冷気吹出し口を介して冷却室から収納室１８に吹出される。すなわち、収納室１８と冷却室２２との間で空気が循環することで、収納室１８内が一定の低温に保たれるようになっている。
【先行技術文献】
【特許文献】
【０００４】
【特許文献１】特開平１０−３３２２５０号公報
【発明の概要】
【発明が解決しようとする課題】
【０００５】
ところで、図５に示すように、スライド扉３６,３８と、該スライド扉３６,３８の上端部をスライド自在に支持する上レール部材９０との間(図５には上レール部材９０とスライド扉３８との関係のみ図示)には、収納室１８を開閉するに際してスライド扉３８を左右にスライド移動させ得るように隙間が形成されている。また、スライド扉３８をレール上に着脱する必要があるため、スライド扉３８の上端部と上レール部材９０の内部との間には空間９２が形成されており、該スライド扉３８を持ち上げることでスライド扉３８を着脱し得る。このため、前記送風ファン２８の駆動により負圧が発生した際に、外部空気が空間や隙間に入り込み(図５の矢印参照)、上レール部材９０の内部で冷却されて結露水が生ずる原因となっていた。そして、上レール部材９０の内部に発生した結露水が、スライド扉３６,３８の開閉時の振動等により滴下して商品や使用者に付着して不快感を抱かせることに繋がると共に、滴下した結露水が床面を汚すといった問題が発生する。
【０００６】
すなわち本発明は、従来の技術に内在する前記問題に鑑み、これらを好適に解決するべく提案されたものであって、スライド扉をスライド可能に支持する上レール部材の内部に結露が生ずるのを防止し得る貯蔵庫の結露防止構造を提供することを目的とする。
【課題を解決するための手段】
【０００７】
前記課題を克服し、所期の目的を達成するため、本願の請求項１に係る発明の貯蔵庫の結露防止構造は、
収納室が内部画成されると共に前方に開放する開口部を有する断熱箱体と、前記断熱箱体の内部に画成され、断熱箱体の開口部側に前記収納室内の空気を吸込む吸込み口が形成されると共に断熱箱体の後方側に収納室内に冷気を吹出す冷気吹出し口が形成された冷却室と、前記断熱箱体の開口前端部に設けられた上下のレール部材と、前記上下のレール部材に沿って摺動可能に配設され、断熱箱体の開口部を開閉自在に閉成するスライド扉とを備えた貯蔵庫において、
前記上レール部材と吸込み口との間に、上レール部材側から庫内側に向けて下方傾斜する風向規制板を設けたことを要旨とする。
請求項１に係る貯蔵庫の結露防止構造によれば、送風ファンの駆動時にスライド扉と吸込み口との間の負圧が低減されるから、スライド扉と上レール部材との間を通って外部空気が導入され難くなり、上レール部材の内部に結露が生ずるのは防止される。
【０００８】
本願の請求項２に係る発明の貯蔵庫の結露防止構造は、前記上レール部材は、前記スライド扉の収納室側の面に対向するレール後面部に、該スライド扉側に向けて膨出する膨出面が形成されて、膨出面にスライド扉が摺接するよう構成されたことを要旨とする。
請求項２に係る貯蔵庫の結露防止構造によれば、送風ファンの駆動時にスライド扉と吸込み口との間の空気の流通量が減少されるから、スライド扉と上レール部材との間を通って外部空気が導入され難くなり、上レール部材の内部に結露が生ずるのは防止される。
【０００９】
本願の請求項３に係る発明の貯蔵庫の結露防止構造は、前記上レール部材における前記スライド扉が臨むレール上面を、前記収納室側に向けて下方傾斜するよう形成したことを要旨とする。
請求項３に係る貯蔵庫の結露防止構造によれば、上レール部材の内部に発生した結露を速やかに排出でき、スライド扉の開閉時に、上レール部材から結露水が滴下するのを防止できる。
【発明の効果】
【００１０】
本発明に係る貯蔵庫の結露防止構造によれば、スライド扉のレール内部に結露水が生ずるのを防止できる。
【図面の簡単な説明】
【００１１】
【図１】本発明の実施例に係るショーケースの開口上部前端を拡大して示す縦断側面図である。
【図２】実施例に係る上レール部材の要部を示す縦断面図である。
【図３】ショーケースを示す正面図である。
【図４】実施例に係る上レール部材におけるストッパおよび扉浮上がり防止部材の配設位置での要部を示す縦断側面図である。
【図５】従来技術に係るショーケースの開口上部前端を拡大して示す縦断側面図である。
【発明を実施するための形態】
【００１２】
次に、本発明に係る貯蔵庫の結露防止構造につき、好適な実施例を挙げて、添付図面を参照しながら以下説明する。なお、従来の技術で説明した部材と同一の部材に関しては、同じ符号で示すこととする。
【実施例】
【００１３】
図１〜図４に示す如く、実施例に係るショーケース１０は、内装板と外装板との間にウレタン等の発泡断熱材１２を充填して構成され、前方に矩形状の開口部１４ａが開口する断熱箱体１４と、該断熱箱体１４が載置固定されるケーシング１６から基本的に構成され、該断熱箱体１４の内部に、各種物品を収容する収納室１８が画成される。前記ケーシング１６の内部には、圧縮器や凝縮器、凝縮器を冷却するファン等からなる冷凍装置が設置されると共に制御ボックス(何れも図示せず)が設置された機械室２０が画成されている。
【００１４】
前記断熱箱体１４の内部上方には、断熱箱体１４の天井面１４ｂとの間に冷却室２２を画成するダクト２４が配設されており、該ダクト２４の内部に、前記冷凍装置からの冷媒が循環供給される冷却器２６や冷気循環用の送風ファン２８が配設されている。前記ダクト２４には、前記断熱箱体１４の開口部１４ａ側(すなわち前側)に前記収納室１８に連通する吸込み口３０が形成されると共に、断熱箱体１４の後壁部側(すなわち後側)に収納室１８に連通する冷気吹出し口が形成されており、該吸込み口３０に臨む位置に、前記送風ファン２８が配設されている。すなわち、前記送風ファン２８の駆動により、前記吸込み口３０を介して収納室１８内の空気が冷却室２２内に導入され、該冷却室２２内において前記冷却器２６と熱交換して冷却された冷気が前記冷気吹出し口から収納室１８内に吹出されることによって、断熱箱体１４内の収納室１８が冷却されるようになっている。なお、前記吸込み口３０には、ファンカバー３４が取り付けられており、冷却室２２内に異物が吸込まれるのを防止している。
【００１５】
前記断熱箱体１４には、前記開口部１４ａの内周囲に扉枠４０が取付けられており、この扉枠４０に、前後の関係で前スライド扉３６および後スライド扉３８が夫々幅方向にスライド可能に支持されて、開口部１４ａを開閉し得るよう構成してある。前および後のスライド扉３６,３８は、開口部１４ａの略半分を閉成し得る寸法に形成した枠体４２に、例えばガラスやアクリル板等の透明板を配設して、内部を視認し得るよう構成される。なお実施例では、前スライド扉３６が開口部１４ａの右側半分を閉成し、後スライド扉３８が開口部１４ａの左側半分を閉成するようになっている。
【００１６】
前記前後のスライド扉３６,３８の枠体４２は、上下の横枠部４２ａ,４２ａと左右の縦枠部４２ｂ,４２ｂとを相互に連結して矩形枠状に形成されている。そして、前スライド扉３６で開口部１４ａの右側半分を閉成した状態で、左側(一方)の縦枠部４２ｂが、開口部１４ａの幅方向の略中央に位置し、後スライド扉３８で開口部１４ａの左側半分を閉成した状態で、右側(一方)の縦枠部４２ｂが、開口部１４ａの幅方向の略中央に位置する。すなわち、両スライド扉３６,３８で開口部１４ａを閉成した状態において、各スライド扉３６,３８における一方の縦枠部４２ｂが、開口部１４ａにおける幅方向の略中央位置において前後に重なるように構成されている(図３参照)。
【００１７】
前記断熱箱体１４に設けられる扉枠４０は、前記開口部１４ａの開口上縁に設けられて前記前後のスライド扉３６,３８の上端部をスライド自在に支持する上レール部材４４と、該開口部１４ａの開口下縁に設けられて前後のスライド扉３６,３８の下端部をスライド自在に支持する下レール部材４６と、開口部１４ａの開口左右側縁に配設される左右の側枠４８とから矩形枠状に形成される。前記上レール部材４４は、図１または図２に示すように、天板部(レール上面部)６０に前後方向に離間して３本の立上がり部６２,６４,６６が立設されて、夫々が開口部１４ａの幅方向の全長に亘って平行に延在している。そして、前立上がり部６２と中立上がり部６４とにより前側レール部４０Ａが画成され、中立上がり部６４と後立上がり部６６とにより後側レール部４０Ｂが画成されて、前後のレール部４０Ａ,４０Ｂに対応して、前記前後のスライド扉３６,３８の上端部が幅方向にスライド自在に支持されるようになっている。
【００１８】
なお、前記下レール部材４６には、前記上レール部材４４の前側レール部４０Ａおよび後側レール部４０Ｂと上下に整列する位置に、断熱箱体１４の開口幅方向に延在する前後のレール部(図示せず)が形成されており、前スライド扉３６は、前記下レール部材４６の前側レール部で下端部が支持されると共に前記上レール部材４４の前側レール部４０Ａで上端部が支持されて、後スライド扉３８は、下レール部材４６の後側レール部で下端部が支持されると共に上レール部材４４の後側レール部４０Ｂで上端部が支持されて、両レール部４０Ａ,４０Ｂに沿って幅方向にスライドし得るようになっている。また、実施例の上レール部材４４は、前記断熱箱体１４の天井面に固定される支持部４４ａが天板部６０に形成されて、該支持部４４ａを断熱箱体１４の天井面１４ｂの前端部にビス等により固定されている。
【００１９】
また、前記上レール部材４４には、図１または図２に示すように、前記後立上がり部６６の後面から庫内側に向かうにつれて下方傾斜する風向規制板６８が開口部１４ａの幅方向の全長に亘って設けられている。すなわち、この風向規制板６８は、前記上レール部材４４の後側レール部４０Ｂと前記冷却室２２を画成するダクト２４に形成された吸込み口３０との間に位置し、前記送風ファン２８の回転時に、上レール部材４４(レール部４０Ａ,４０Ｂ)の近傍に滞留する空気が冷却室２２に吸込まれるのを低減するようになっている。ここで、前記風向規制板６８の下端部は、前記上レール部材４４(各立上がり部６２,６４,６６)の下端部よりも上方に位置するよう形成される。また、実施例では、前記上レール部材４４および風向規制板６８の夫々は、一体的に樹脂押出し成形により形成される。
【００２０】
図１または図２に示すように、前記上レール部材４４の天板部６０は、前記前立上がり部６２から後立上がり部６６(開口部１４ａから収納室１８側)に向けて所定角度で下方傾斜するよう形成されており、該天板部６０に付着した結露水が天板部６０の傾斜に沿って後方へ自然に流下するよう構成されている。すなわち、上レール部材４４の前側レール部４０Ａに付着した結露水は、天板部６０に沿って中立上がり部６４に向け流下して、該中立上がり部６４に接触する前スライド扉３６を伝って流下し、上レール部材４４の後側レール部４０Ｂに付着した結露水は、天板部６０に沿って後立上がり部６６に向け流下して、該後立上がり部６６に接触する後スライド扉３８を伝って流下するようになっている。また、前記天板部６０とスライド扉３６,３８の上端部との間には、所要の空間７４が画成されて、スライド扉３６,３８を空間７４側に差し込むよう持ち上げることで、スライド扉３６,３８を対応のレール部４０Ａ,４０Ｂに着脱し得るようになっている。
【００２１】
また、前記上レール部材４４は、前側レール部４０Ａを画成する後面部となる中立上がり部６４に、前側レール部４０Ａ側に突出する膨出部７０が形成されており、前側レール部４０Ａに支持された前スライド扉３６(上側の横枠部４２ａ)の後面が中立上がり部６４の膨出部７０に摺接するようになっている。同様に、前記上レール部材４４は、後側レール部４０Ｂを画成する後面部となる後立上がり部６６に、後側レール部４０Ｂ側に突出する膨出部７０が形成されており、後側レール部４０Ｂに支持された後スライド扉３８(上側の横枠部４２ａ)の後面が後立上がり部６６の膨出部７０に摺接するようになっている。また、前記上レール部材４４には、前記前立上がり部６２における中立上がり部６４との対向面側に、該中立上がり部６４に向けて突出する突条部７２が全長に亘って形成されると共に、中立上がり部６４における後立上がり部６６との対向面側に、該後立上がり部６６に向けて突出する突条部７２が断熱箱体１４の開口幅方向の全長に亘って形成されて、前後のレール部４０Ａ,４０Ｂに支持された前後のスライド扉３６,３８の前面が対応の突条部７２に摺接するようになっている。なお、実施例では、前記突条部７２は、前記前立上がり部６２および中立上がり部６４の夫々に上下に離間して２条形成され、各突条部７２が対応のスライド扉３６,３８の前面に摺接している。
【００２２】
ここで、前記前立上がり部６２の突条部７２から中立上がり部６４の膨出部７０までの離間寸法は、前記前スライド扉３６の上端部の前後寸法と略同一に設定されると共に、中立上がり部６４の突条部７２から後立上がり部６６の膨出部７０までの離間寸法は、前記後スライド扉３８の上端部の前後寸法と略同一に設定される。すなわち、前後のレール部４０Ａ,４０Ｂの前後の幅寸法は、前記突条部７２と膨出部７０との間において対応のスライド扉３６,３８の前後寸法に一致し、膨出部７０より上方側において対応のスライド扉３６,３８の前後寸法より幅広になるよう設定される。
【００２３】
また、前記前側レール部４０Ａの左端部および後側レール部４０Ｂの右端部には、各レール部４０Ａ,４０Ｂの開放端から緩衝材としてのストッパ７６が嵌合固定されると共に、該前側レール部４０Ａの右端部および後側レール部４０Ｂの左端部には、各レール部４０Ａ,４０Ｂの開放端から扉浮上がり防止部材８０が嵌合固定されている(図４参照)。なお、図４には、前側レール部４０Ａの左端部に嵌合固定されたストッパ７６および後側レール部４０Ｂの左端部に嵌合固定された扉浮上がり防止部材８０のみを図示してある。ここで、前記ストッパ７６は、図４に示すように、対応するレール部４０Ａ,４０Ｂの内部輪郭形状に合致するブロック状に形成されて、前後のスライド扉３６,３８を開放した際に、対応のストッパ７６に当接するようになっている。
【００２４】
前記扉浮上がり防止部材８０は、図４に示すように、前後のレール部４０Ａ,４０Ｂにおいて上方に位置する突条部７２と、各レール部４０Ａ,４０Ｂを画成する前面壁(前側レール部４０Ａにあっては前立上がり部６２、後側レール部４０Ｂにあっては中立上がり部６４)と、各レール部４０Ａ,４０Ｂの上面を画成する天板部６０と、各レール部４０Ａ,４０Ｂを画成する後面壁(前側レール部４０Ａにあっては中立上がり部６４、後側レール部４０Ｂにあっては後立上がり部６６)との内部輪郭形状に合致するブロック状に形成されて、前記空間７４に埋め込まれるようになっている。すなわち、前後のスライド扉３６,３８を開放した状態で、前スライド扉３６の右上端部および後スライド扉３８の左上端部の夫々が対応の扉浮上がり防止部材８０の下面に近接位置して、各スライド扉３６,３８の上方移動を規制するようになっている。従って、前後のスライド扉３６,３８を対応のレール部４０Ａ,４０Ｂに着脱する際には、各スライド扉３６,３８を対応の扉浮上がり防止部材８０から離間する位置で前記空間７４側に差し込む必要がある。
【００２５】
(実施例の作用)
次に、実施例に係る貯蔵庫の結露防止構造の作用につき説明する。ショーケース１０の冷却運転が開始されると、前記送風ファン２８が駆動されて収納室１８内の空気を吸込み口３０から冷却室２２内に導入して冷却器２６と熱交換して冷却し、冷却器２６で冷却された冷気を冷気吹出し口から収納室１８内に吹出すことで、収納室１８内が所定温度まで冷却される。すなわち、前記送風ファン２８が駆動されると、収納室１８では吸込み口３０に対応する断熱箱体１４内の開口部１４ａ前側に負圧が発生し、これにより吸込み口３０から収納室１８内の空気が冷却室２２に吸込まれることになる。ここで、前記上レール部材４４には、該上レール部材４４と吸込み口３０との間に延在する風向規制板６８を、上レール部材４４側から庫内側に向けて下方傾斜するよう形成してあるから、該風向規制板６８の前側(上レール部材４４間)に発生する負圧が軽減される。従って、図１に矢印で示すように、収納室１８から冷却室２２への空気は、収納室１８の奥側から風向規制板６８に沿って吸込み口３０に吸込まれ、レール部４０Ａ,４０Ｂ側から吸込み口３０に吸込まれる空気量が低減される。このように、前記風向規制板６８を設けたことで、前記上レール部材４４のレール部４０Ａ,４０Ｂとスライド扉３６,３８との間に形成される隙間を介して収納室１８側に流入する外気量を減少させることができる。これにより、高湿度の外部空気がレール部４０Ａ,４０Ｂ内で冷却されて結露水として付着するのを低減できる。従って、スライド扉３６,３８の開閉時にレール部４０Ａ,４０Ｂ内に発生した結露水が滴下して商品や使用者に付着して不快感を抱かせたり、滴下した結露水により床面が汚されるのを防止し得る。
【００２６】
また、前記風向規制板６８は、前記上レール部４０Ａ,４０Ｂの下端部よりも上方に位置するよう形成されている。このため、スライド扉３６,３８を開放した状態において、断熱箱体１４の開口部１４ａが風向規制板６８により圧迫されることはなく、収納室１８内への商品の出し入れや、ダクト２４の取り外し等のメンテナンスの作業性が低下することはない。また、実施例では、前記風向規制板６８を上レール部材４４と一体で樹脂押出し成形により形成するようにしたから、風向規制板６８の形成コストを最小限に抑制し得る。
【００２７】
更に、中立上がり部６４および後立上がり部６６には、対応のスライド扉３６,３８に接触する膨出部７０が形成されて、前立上がり部６２の突条部７２から中立上がり部６４の膨出部７０までの離間寸法を、前スライド扉３６の上端部の前後寸法と略同一に設定すると共に、中立上がり部６４の突条部７２から後立上がり部６６の膨出部７０までの離間寸法を、前記後スライド扉３８の上端部の前後寸法と略同一に設定してある。このため、前スライド扉３６の後面側と、中立上がり部６４の膨出部７０との間、および後スライド扉３８の後面側と、後立上がり部６６の膨出部７０との間の隙間が殆どなく、前スライド扉３６と中立上がり部６４との間や、後スライド扉３８と後立上がり部６６との間を通って収納室１８内に導入される外気量が減少する。このため、高湿度の外部空気がレール部４０Ａ,４０Ｂ内で冷却されて結露水として付着するのをより効果的に低減できる。
【００２８】
前記上レール部材４４は、スライド扉３６,３８をスライド自在に支持する前後のレール部４０Ａ,４０Ｂの上面を画成する天板部６０を、後方へ向けて下方傾斜させてある。このため、前後のレール部４０Ａ,４０Ｂ内に発生した結露水は、前記天板部６０に沿って各レール部４０Ａ,４０Ｂの後面部を画成する中立上がり部６４および後立上がり部６６に向けて夫々流下する。ここで、中立上がり部６４および後立上がり部６６には、対応のスライド扉３６,３８に接触する膨出部７０を形成してあるから、該中立上がり部６４および後立上がり部６６を伝う結露水はスライド扉３６,３８を流下するようになる。すなわち、前記上レール部材４４の各レール部４０Ａ,４０Ｂに発生した結露水がスライド扉３６,３８の開閉時等の振動により滴下するのを防止でき、商品や使用者に付着して不快感を抱かせたり、滴下した結露水により床面が汚されるのをより効果的に防止し得る。
【００２９】
〔変更例〕
本願は前述した実施例の構成に限定されるものでなく、その他の構成を適宜に採用することができる。
(１)  実施例では、風向規制板を断熱箱体の開口幅方向の全長に亘って形成するようにしたが、これに限られるものではなく、断熱箱体の開口幅方向の一部に風向規制板が位置するよう構成してもよい。すなわち、収納室内の空気を冷却室内に吸込む吸込み口の前側に対応して風向規制板を形成すれば、送風ファンの駆動時にスライド扉と上レール部材との間を通って外部空気が収納室内に導入され難くなるから、実施例と同様の作用効果が得られる。
(２)  実施例では、風向規制板を上レール部材と一体的に樹脂成形したが、これに限られるものではなく、風向規制板を上レール部材とは別部材として形成して、接着あるいはネジ止め等により上レール部材に対して固定するようにしてもよい。
(３)  実施例では、上レール部材に風向規制板を設ける例を示したが、上レール部材に対して固定される必要は必ずしもなく、断熱箱体や冷却室を画成するダクト、その他貯蔵庫を構成する各種部材に一体的または別部材として固定することも可能である。
(４)  実施例では、風向規制板の傾斜下端部を上レール部材の下端部より上方に位置するよう構成したが、該風向規制板の傾斜下端部を上レール部材の下端部と同一水平位置に位置するよう構成してもよく、また風向規制板の傾斜下端部を上レール部材の下端部より下方まで延在するよう形成することもできる。
(５)  実施例では、上レール部材において、レール部の後面部に膨出部を形成したが、レール部の前面部にも形成するようにしてもよい。
(６)  実施例では、貯蔵庫としてショーケースを挙げて説明したが、ショーケースに限らず冷蔵庫や冷凍庫等であって、断熱箱体の開口部をスライド扉により開閉するものであれば、本発明に係る貯蔵庫の結露防止構造を採用し得る。なお、スライド扉の数は、前後２枚のものに限られず、１枚あるいは３枚以上のスライド扉を備えた貯蔵庫に対しても、本発明に係る貯蔵庫の結露防止構造を採用し得る。
【符号の説明】
【００３０】
１４  断熱箱体，１４ａ  開口部，１８  収納室，２２  冷却室，３０  吸込み口
３６  前スライド扉(スライド扉)，３８  後スライド扉(スライド扉)
４４  上レール部材，４６  下レール部材，６０  天板部(レール上面部)
６４  中立上がり部(レール後面部)，６６  後立上がり部(レール後面部)
６８  風向規制板，７０  膨出部
【図１】
2010196925.tif 000003
【図２】
2010196925.tif 000004
【図３】
2010196925.tif 000005
【図４】
2010196925.tif 000006
【図５】
2010196925.tif 000007